【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  図形を描画領域に描画すべきか否かの判定を行う図形選別ユニットを有する図形描画装置において、
前記図形選別ユニットは、前記描画領域の境界の座標値を記録する描画領域レジスタと、
判定対象である図形の端点の座標値を記録する図形端点座標レジスタと、
前記描画領域の境界の座標値と前記図形端点の座標値の大きさの比較を行う第一の比較器と、
前記第一の比較器による比較結果を所定のデータ形式で記録する比較結果レジスタと、
前記比較結果レジスタに記録されたデータに基づき当該図形を描画すべきか否かの判定結果を出力するデコーダと、
第一及び第二のセレクタを有し、前記第一のセレクタは、前記描画領域レジスタが記録する描画領域の境界の座標値から１つの座標値を選択して前記第一の比較器に与え、前記第二のセレクタは、前記図形端点座標レジスタが記録する図形端点の座標値から１つの座標値を選択して前記第一の比較器に与えることを特徴とする図形描画装置。
【請求項２】  請求項１記載の図形描画装置において、
前記図形選別ユニットは、更に第二の比較器を有し、前記第一及び第二の比較器は、互いに異なる組み合わせで前記描画領域の境界の座標値と前記図形端点の座標値の大きさの比較を行い、前記比較結果レジスタは、前記第一及び第二の比較器による比較結果を所定のデータ形式で記録することを特徴とする図形描画装置。
【請求項３】  請求項２記載の図形描画装置において、
前記図形選別ユニットは、第一、第二、第三のセレクタを有し、前記第一のセレクタは、前記描画領域レジスタが記録する描画領域の境界の座標値から１つの座標値を選択して前記第一の比較器に与え、前記第三のセレクタは、前記描画領域レジスタが記録する描画領域の境界の座標値から前記第一のセレクタが選択する座標値とは異なる１つの座標値を選択して前記第二の比較器に与え、前記第二のセレクタは、前記図形端点座標レジスタが記録する図形端点の座標値から１つの座標値を選択して前記第一及び第二の比較器に与えることを特徴とする図形描画装置。
【請求項４】  請求項１記載の図形描画装置において、
前記第一の比較器は複数設けられており、各比較器が互いに異なる組み合わせで前記描画領域の境界の座標値と前記図形端点の座標値の大きさの比較を行い、前記比較結果レジスタは、各比較器による比較結果を所定のデータ形式で記録することを特徴とする図形描画装置。
【請求項５】  請求項４記載の図形描画装置において、
前記複数の比較器は前記デコーダに接続されており、前記複数の比較器による比較結果は、前記デコーダに所定のデータ形式で入力されることを特徴とする図形描画装置。
【請求項６】  請求項１乃至４の何れか１項記載の図形描画装置において、
前記図形端点座標レジスタに記録された座標値が変更された場合、変更された座標値に関する比較処理のみが行われ、該比較処理の結果に応じて前記比較結果レジスタにおける記録の変更が行われることを特徴とする図形描画装置。
【請求項７】  請求項１乃至６の何れか１項記載の図形描画装置において、
前記デコーダは、描画すべきか否かの判定対象である図形が前記描画領域外にあると判断できる時点で描画不必要の判定結果を出力することを特徴とする図形描画装置。
【請求項８】  請求項１乃至７の何れか１項記載の図形描画装置において、
前記描画領域レジスタは、所定の値を出力する一定値出力部を含むことを特徴とする図形描画装置。
【請求項９】  請求項１乃至８の何れか１項記載の図形描画装置において、
描画領域レジスタ及び図形端点座標レジスタの少なくとも一方に、所定の座標値が与えられた場合、該座標値に対応する前記比較結果レジスタ内のデータが決定されることを特徴とする図形描画装置。
【請求項１０】  請求項１乃至９の何れか１項記載の図形描画装置において、
前記図形選別ユニットの動作制御及び前記デコーダが出力する判定結果に基づいた図形処理を行う制御部を有し、前記描画領域レジスタ及び前記図形端点座標レジスタの全て又は一部は、前記制御部内に設けられていることを特徴とする図形描画装置。
【請求項１１】  請求項１０記載の図形描画装置において、
前記描画領域の境界の座標値及び前記図形端点の座標値を記録するメモリを有し、選択された座標値が前記メモリから前記制御部を介して前記図形選別ユニットに与えられることを特徴とする図形描画装置。
【請求項１２】  請求項１０記載の図形描画装置において、
前記制御部は、前記デコーダによる判定結果が入力される条件分岐制御部を有することを特徴とする図形描画装置。
【請求項１３】  請求項１０記載の図形描画装置において、
前記制御部は、外部からの割り込み信号が入力される割り込み制御部を有することを特徴とする図形描画装置。
【請求項１４】  図形を描画領域に描画すべきか否かの判定を行う図形選別ユニットであって、
前記描画領域の境界の座標値を記録する描画領域レジスタと、
判定対象である図形の端点の座標値を記録する図形端点座標レジスタと、
前記描画領域の境界の座標値と前記図形端点の座標値の大きさの比較を行う第一の比較器と、
前記第一の比較器による比較結果を所定のデータ形式で記録する比較結果レジスタと、
前記比較結果レジスタに記録されたデータに基づき当該図形を描画すべきか否かの判定結果を出力するデコーダとを有することを特徴とする図形選別ユニット。
【請求項１５】  図形を描画領域に描画すべきか否かの判定を行う図形選別ユニットを有する図形描画装置において、
前記図形選別ユニットは、前記描画領域の境界の座標値及び描画すべきか否かの判定対象である図形の端点の座標値に基づいたデータを出力するコプロセッサと、
前記コプロセッサの出力データに基づいて当該図形を描画すべきか否かの判定結果を出力するメインプロセッサとを有することを特徴とする図形描画装置。
【請求項１６】  請求項１５記載の図形描画装置において、
前記コプロセッサは、前記描画領域の境界の座標値を記録する描画領域レジスタと、前記図形端点の座標値を記録する図形端点座標レジスタと、前記描画領域の境界の座標値と前記図形端点の座標値の大きさの比較を行う比較器を有し、
前記メインプロセッサは、前記比較器の比較結果を所定のデータ形式で記録する比較結果レジスタと、前記比較結果レジスタに記録されたデータに基づいて当該図形を描画すべきか否かの判定結果を出力するデコーダを有することを特徴とする図形描画装置。
【請求項１７】  請求項１６記載の図形描画装置において、
前記コプロセッサは、第一及び第二のセレクタを有し、前記第一のセレクタは、前記描画領域レジスタが記録する描画領域の境界の座標値から１つの座標値を選択して前記比較器に与え、前記第二のセレクタは、前記図形端点座標レジスタが記録する図形端点の座標値から１つの座標値を選択して前記比較器に与えることを特徴とする図形描画装置。
【請求項１８】  請求項１６又は１７記載の図形描画装置において、
前記比較器は複数設けられており、各比較器が互いに異なる組み合わせで前記描画領域の境界の座標値と前記図形端点の座標値の大きさの比較を行い、前記比較結果レジスタは、各比較器による比較結果を所定のデータ形式で記録することを特徴とする図形描画装置。
【請求項１９】  請求項１５乃至１８の何れか１項記載の図形描画装置において、前記コプロセッサは複数設けられており、各コプロセッサは、互いに異なる組み合わせの前記描画領域の境界の座標値及び前記図形端点の座標値に基づいたデータを出力することを特徴とする図形描画装置。
【請求項２０】  請求項１６乃至１９の何れか１項記載の図形描画装置において、前記デコーダは、描画すべきか否かの判定対象である図形が前記描画領域外にあると判断できる時点で描画不必要の判定結果を出力することを特徴とする図形描画装置。
【請求項２１】  請求項１６乃至２０の何れか１項記載の図形描画装置において、前記描画領域レジスタは、所定の値を出力する一定値出力部を含むことを特徴とする図形描画装置。
【請求項２２】  請求項１６乃至２１の何れか１項記載の図形描画装置において、描画領域レジスタ及び図形端点座標レジスタの少なくとも一方に、所定の座標値が与えられた場合、該座標値に対応する前記比較結果レジスタ内のデータが決定されることを特徴とする図形描画装置。
【請求項２３】  請求項１６乃至２２の何れか１項記載の図形描画装置において、前記図形選別ユニットの動作制御及び前記デコーダが出力する判定結果に基づいた図形処理を行う制御部を有し、前記描画領域レジスタ及び前記図形端点座標レジスタの全て又は一部は、前記制御部内に設けられていることを特徴とする図形描画装置。
【請求項２４】  請求項１５乃至２３の何れか１項記載の図形描画装置において、前記メインプロセッサは、前記デコーダによる判定結果が入力される条件分岐制御部を有することを特徴とする図形描画装置。
【請求項２５】  請求項１５乃至２３の何れか１項記載の図形描画装置において、前記メインプロセッサは、外部からの割り込み信号が入力される割り込み制御部を有することを特徴とする図形描画装置。
【手続補正２】
【補正対象書類名】明細書
【補正対象項目名】００１６
【補正方法】変更
【補正の内容】
【００１６】
【課題を解決するための手段】
上記課題を解決するために本発明では、次に述べる各手段を講じたことを特徴とする。
請求項１記載の発明では、図形を描画領域に描画すべきか否かの判定を行う図形選別ユニットを有する図形描画装置において、前記図形選別ユニットは、前記描画領域の境界の座標値を記録する描画領域レジスタと、判定対象である図形の端点の座標値を記録する図形端点座標レジスタと、前記描画領域の境界の座標値と前記図形端点の座標値の大きさの比較を行う第一の比較器と、前記第一の比較器による比較結果を所定のデータ形式で記録する比較結果レジスタと、前記比較結果レジスタに記録されたデータに基づき当該図形を描画すべきか否かの判定結果を出力するデコーダと、第一及び第二のセレクタを有し、前記第一のセレクタは、前記描画領域レジスタが記録する描画領域の境界の座標値から１つの座標値を選択して前記第一の比較器に与え、前記第二のセレクタは、前記図形端点座標レジスタが記録する図形端点の座標値から１つの座標値を選択して前記第一の比較器に与えることを特徴とするものである。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
請求項１記載の発明では、描画領域の境界の座標値と図形の端点の座標値に基づいて図形選別ユニットが図形を描画すべきか否かの判定を行うので、従来例のように多数のプログラム処理を行う必要がなく、描画すべき図形の選別がより短時間で行われる。
請求項２記載の発明では、請求項１記載の図形描画装置において、前記図形選別ユニットは、更に第二の比較器を有し、前記第一及び第二の比較器は、互いに異なる組み合わせで前記描画領域の境界の座標値と前記図形端点の座標値の大きさの比較を行い、前記比較結果レジスタは、前記第一及び第二の比較器による比較結果を所定のデータ形式で記録することを特徴とするものである。
【手続補正５】
【補正対象書類名】明細書
【補正対象項目名】００１９
【補正方法】変更
【補正の内容】
【００１９】
請求項３記載の発明では、請求項２記載の図形描画装置において、前記図形選別ユニットは、第一、第二、第三のセレクタを有し、前記第一のセレクタは、前記描画領域レジスタが記録する描画領域の境界の座標値から１つの座標値を選択して前記第一の比較器に与え、前記第三のセレクタは、前記描画領域レジスタが記録する描画領域の境界の座標値から前記第一のセレクタが選択する座標値とは異なる１つの座標値を選択して前記第二の比較器に与え、前記第二のセレクタは、前記図形端点座標レジスタが記録する図形端点の座標値から１つの座標値を選択して前記第一及び第二の比較器に与えることを特徴とするものである。
【手続補正６】
【補正対象書類名】明細書
【補正対象項目名】００２０
【補正方法】変更
【補正の内容】
【００２０】
請求項４記載の発明では、請求項１記載の図形描画装置において、前記第一の比較器は複数設けられており、各比較器が互いに異なる組み合わせで前記描画領域の境界の座標値と前記図形端点の座標値の大きさの比較を行い、前記比較結果レジスタは、各比較器による比較結果を所定のデータ形式で記録することを特徴とするものである。
【手続補正７】
【補正対象書類名】明細書
【補正対象項目名】００２１
【補正方法】変更
【補正の内容】
【００２１】
請求項５記載の発明では、請求項４記載の図形描画装置において、前記複数の比較器は前記デコーダに接続されており、前記複数の比較器による比較結果は、前記デコーダに所定のデータ形式で入力されることを特徴とするものである。
請求項２乃至５記載の発明によれば、複数の比較器によって複数の座標値の大きさの比較を同時に行うことができるので、より短時間で描画すべき図形を選別することが可能になる。
【手続補正８】
【補正対象書類名】明細書
【補正対象項目名】００２２
【補正方法】変更
【補正の内容】
【００２２】
請求項６記載の発明では、請求項１乃至４の何れか１項記載の図形描画装置において、前記図形端点座標レジスタに記録された座標値が変更された場合、変更された座標値に関する比較処理のみが行われ、該比較処理の結果に応じて前記比較結果レジスタにおける記録の変更が行われることを特徴とするものである。
請求項６記載の発明によれば、変更された座標値に関する比較処理のみが行われて、図形を描画すべきか否かの判定結果が出力されるので不要な比較処理が省略されることになり、描画すべき図形の選別がより短時間で行われる。
【手続補正９】
【補正対象書類名】明細書
【補正対象項目名】００２３
【補正方法】変更
【補正の内容】
【００２３】
請求項７記載の発明では、請求項１乃至６の何れか１項記載の図形描画装置において、前記デコーダは、描画すべきか否かの判定対象である図形が前記描画領域外にあると判断できる時点で描画不必要の判定結果を出力することを特徴とするものである。
請求項７記載の発明によれば、全ての比較処理が終了していない場合であっても、判定対象である図形が描画領域外にあると判断できる時点で描画不必要の判定結果が出力されるので、不要な比較処理が省略されて描画すべき図形の選別がより短時間で行われる。
【手続補正１０】
【補正対象書類名】明細書
【補正対象項目名】００２４
【補正方法】変更
【補正の内容】
【００２４】
請求項８記載の発明では、請求項１乃至７の何れか１項記載の図形描画装置において、前記描画領域レジスタは、所定の値を出力する一定値出力部を含むことを特徴とするものである。
一般に、多様な値を出力できるレジスタよりも常に所定の値を出力する一定値出力部の方が簡単に形成でき、故障率も低い。そこで、描画領域において位置が不変の境界がある場合、本発明のように位置不変の境界の座標値を一定出力部が出力する構成にすることで描画領域レジスタの構造が簡単になり、図形描画装置の動作信頼性も向上する。
【手続補正１１】
【補正対象書類名】明細書
【補正対象項目名】００２５
【補正方法】変更
【補正の内容】
【００２５】
請求項９記載の発明では、請求項１乃至８の何れか１項記載の図形描画装置において、描画領域レジスタ及び図形端点座標レジスタの少なくとも一方に、所定の座標値が与えられた場合、該座標値に対応する前記比較結果レジスタ内のデータが決定されることを特徴とするものである。
請求項９記載の発明によれば、描画領域レジスタ及び図形端点座標レジスタの少なくとも一方に、所定の座標値が与えられた場合に該座標値に対応する比較処理が省略される。従って、描画すべき図形の選別がより短時間で行われる。
【手続補正１２】
【補正対象書類名】明細書
【補正対象項目名】００２６
【補正方法】変更
【補正の内容】
【００２６】
請求項１０記載の発明では、請求項１乃至９の何れか１項記載の図形描画装置において、前記図形選別ユニットの動作制御及び前記デコーダが出力する判定結果に基づいた図形処理を行う制御部を有し、前記描画領域レジスタ及び前記図形端点座標レジスタの全て又は一部は、前記制御部内に設けられていることを特徴とするものである。
【手続補正１３】
【補正対象書類名】明細書
【補正対象項目名】００２７
【補正方法】変更
【補正の内容】
【００２７】
請求項１０記載の発明によれば、制御部に命令を与えて図形選別ユニットの動作制御及請求項び図形処理を行わせることができる。また、描画領域レジスタ及び図形端点座標レジスタの全て又は一部を制御部内に設けることによって、図形描画装置の小型化が実現する。
請求項１１記載の発明では、請求項１０記載の図形描画装置において、前記描画領域の境界の座標値及び前記図形端点の座標値を記録するメモリを有し、選択された座標値が前記メモリから前記制御部を介して前記図形選別ユニットに与えられることを特徴とするものである。
【手続補正１４】
【補正対象書類名】明細書
【補正対象項目名】００２８
【補正方法】変更
【補正の内容】
【００２８】
請求項１１記載の発明によれば、制御部に命令を与えてメモリから図形選別ユニットに図形選別に必要な座標値を供給することができる。
請求項１２記載の発明では、請求項１０記載の図形描画装置において、前記制御部は、前記デコーダによる判定結果が入力される条件分岐制御部を有することを特徴とするものである。
【手続補正１５】
【補正対象書類名】明細書
【補正対象項目名】００２９
【補正方法】変更
【補正の内容】
【００２９】
請求項１２記載の発明によれば、デコーダによる判定結果に基づき条件分岐制御部が動作することで制御部が行うべき図形処理が決定される。
請求項１３記載の発明では、請求項１０記載の図形描画装置において、前記制御部は、外部からの割り込み信号が入力される割り込み制御部を有することを特徴とするものである。
【手続補正１６】
【補正対象書類名】明細書
【補正対象項目名】００３０
【補正方法】変更
【補正の内容】
【００３０】
請求項１３記載の発明によれば、外部から割り込み信号を割り込み制御部に与えて、制御部による図形選別ユニットの動作制御及び図形処理を割り込み制御することができる。
請求項１４記載の発明では、図形を描画領域に描画すべきか否かの判定を行う図形選別ユニットであって、前記描画領域の境界の座標値を記録する描画領域レジスタと、判定対象である図形の端点の座標値を記録する図形端点座標レジスタと、前記描画領域の境界の座標値と前記図形端点の座標値の大きさの比較を行う第一の比較器と、前記第一の比較器による比較結果を所定のデータ形式で記録する比較結果レジスタと、前記比較結果レジスタに記録されたデータに基づき当該図形を描画すべきか否かの判定結果を出力するデコーダとを有することを特徴とするものである。
【手続補正１７】
【補正対象書類名】明細書
【補正対象項目名】００３１
【補正方法】変更
【補正の内容】
【００３１】
請求項１４記載の発明によれば、短時間で描画すべき図形の選別を行うことのできる図形選別ユニットを提供することができる。
請求項１５記載の発明では、図形を描画領域に描画すべきか否かの判定を行う図形選別ユニットを有する図形描画装置において、前記図形選別ユニットは、前記描画領域の境界の座標値及び描画すべきか否かの判定対象である図形の端点の座標値に基づいたデータを出力するコプロセッサと、前記コプロセッサの出力データに基づいて当該図形を描画すべきか否かの判定結果を出力するメインプロセッサとを有することを特徴とするものである。
【手続補正１８】
【補正対象書類名】明細書
【補正対象項目名】００３２
【補正方法】変更
【補正の内容】
【００３２】
請求項１６記載の発明では、請求項１５記載の図形描画装置において、前記コプロセッサは、前記描画領域の境界の座標値を記録する描画領域レジスタと、前記図形端点の座標値を記録する図形端点座標レジスタと、前記描画領域の境界の座標値と前記図形端点の座標値の大きさの比較を行う比較器を有し、前記メインプロセッサは、前記比較器の比較結果を所定のデータ形式で記録する比較結果レジスタと、前記比較結果レジスタに記録されたデータに基づいて当該図形を描画すべきか否かの判定結果を出力するデコーダを有することを特徴とするものである。
【手続補正１９】
【補正対象書類名】明細書
【補正対象項目名】００３３
【補正方法】変更
【補正の内容】
【００３３】
請求項１７記載の発明では、請求項１６記載の図形描画装置において、前記コプロセッサは、第一及び第二のセレクタを有し、前記第一のセレクタは、前記描画領域レジスタが記録する描画領域の境界の座標値から１つの座標値を選択して前記比較器に与え、前記第二のセレクタは、前記図形端点座標レジスタが記録する図形端点の座標値から１つの座標値を選択して前記比較器に与えることを特徴とするものである。
【手続補正２０】
【補正対象書類名】明細書
【補正対象項目名】００３４
【補正方法】変更
【補正の内容】
【００３４】
請求項１５乃至１７記載の発明によれば、コプロセッサの出力データに基づくメインプロセッサの動作によって図形を描画すべきか否かの判定結果が出力される。この時、従来例のように多数のプログラム処理を行う必要がなく、描画すべき図形の選別が短時間で行われる。
請求項１８記載の発明では、請求項１６又は１７記載の図形描画装置において、前記比較器は複数設けられており、各比較器が互いに異なる組み合わせで前記描画領域の境界の座標値と前記図形端点の座標値の大きさの比較を行い、前記比較結果レジスタは、各比較器による比較結果を所定のデータ形式で記録することを特徴とするものである。
【手続補正２１】
【補正対象書類名】明細書
【補正対象項目名】００３５
【補正方法】変更
【補正の内容】
【００３５】
請求項１８記載の発明によれば、複数の比較器によって複数の座標値の大きさの比較を同時に行うことができるので、より短時間で描画すべき図形を選別することができる。
請求項１９記載の発明では、請求項１５乃至１８の何れか１項記載の図形描画装置において、前記コプロセッサは複数設けられており、各コプロセッサは、互いに異なる組み合わせの前記描画領域の境界の座標値及び前記図形端点の座標値に基づいたデータを出力することを特徴とするものである。
【手続補正２２】
【補正対象書類名】明細書
【補正対象項目名】００３６
【補正方法】変更
【補正の内容】
【００３６】
請求項１９記載の発明によれば、複数のコプロセッサによって、描画領域の境界の座標値及び図形端点の座標値に基づいた複数のデータ出力を同時に行うことができるので、より短時間で描画すべき図形を選別するこてができる。
請求項２０記載の発明では、請求項１６乃至１９の何れか１項記載の図形描画装置において、前記デコーダは、描画すべきか否かの判定対象である図形が前記描画領域外にあると判断できる時点で描画不必要の判定結果を出力することを特徴とするものである。
【手続補正２３】
【補正対象書類名】明細書
【補正対象項目名】００３７
【補正方法】変更
【補正の内容】
【００３７】
請求項２０記載の発明によれば、全ての比較処理が終了していない場合であっても、判定対象である図形が描画領域外にあると判断できる時点で描画不必要の判定結果が出力されるので、不要な比較処理が省略されて描画すべき図形の選別がより短時間で行われる。
請求項２１記載の発明では、請求項１６乃至２０の何れか１項記載の図形描画装置において、前記描画領域レジスタは、所定の値を出力する一定値出力部を含むことを特徴とするものである。
【手続補正２４】
【補正対象書類名】明細書
【補正対象項目名】００３９
【補正方法】変更
【補正の内容】
【００３９】
請求項２２記載の発明では、請求項１６乃至２１の何れか１項記載の図形描画装置において、描画領域レジスタ及び図形端点座標レジスタの少なくとも一方に、所定の座標値が与えられた場合、該座標値に対応する前記比較結果レジスタ内のデータが決定されることを特徴とするものである。
請求項２２記載の発明によれば、描画領域レジスタ及び図形端点座標レジスタの少なくとも一方に、所定の座標値が与えられた場合に該座標値に対応する比較処理が省略される。従って、描画すべき図形の選別がより短時間で行われる。
【手続補正２５】
【補正対象書類名】明細書
【補正対象項目名】００４０
【補正方法】変更
【補正の内容】
【００４０】
請求項２３記載の発明では、請求項１６乃至２２の何れか１項記載の図形描画装置において、前記図形選別ユニットの動作制御及び前記デコーダが出力する判定結果に基づいた図形処理を行う制御部を有し、前記描画領域レジスタ及び前記図形端点座標レジスタの全て又は一部は、前記制御部内に設けられていることを特徴とするものである。
【手続補正２６】
【補正対象書類名】明細書
【補正対象項目名】００４１
【補正方法】変更
【補正の内容】
【００４１】
請求項２３記載の発明によれば、制御部に命令を与えて図形選別ユニットの動作制御及請求項び図形処理を行わせることができる。また、描画領域レジスタ及び図形端点座標レジスタの全て又は一部を制御部内に設けることによって、図形描画装置の小型化が実現する。
請求項２４記載の発明では、請求項１５乃至２３の何れか１項記載の図形描画装置において、前記メインプロセッサは、前記デコーダによる判定結果が入力される条件分岐制御部を有することを特徴とするものである。
【手続補正２７】
【補正対象書類名】明細書
【補正対象項目名】００４２
【補正方法】変更
【補正の内容】
【００４２】
請求項２４記載の発明によれば、デコード結果により条件分岐されるため、デコード結果がメインプロセッサの動作に反映される。
請求項２５記載の発明では、請求項１５乃至２３の何れか１項記載の図形描画装置において、前記メインプロセッサは、外部からの割り込み信号が入力される割り込み制御部を有することを特徴とするものである。
【手続補正２８】
【補正対象書類名】明細書
【補正対象項目名】００４３
【補正方法】変更
【補正の内容】
【００４３】
請求項２５記載の発明によれば、デコード結果によって割り込みを発生させることができるので、デコード結果がメインプロセッサの動作に反映される。
【手続補正２９】
【補正対象書類名】明細書
【補正対象項目名】０１３７
【補正方法】変更
【補正の内容】
【０１３７】
【発明の効果】
以上説明したように、請求項１〜１３及び請求項１５〜２５記載の発明によれば、図形描画装置の有する制御部によるプログラム処理ではなく、図形描画装置に設けられた図形選別ユニットの回路動作によって、より短時間で描画すべき図形の選別を行う図形描画装置を提供することができる。
【手続補正３０】
【補正対象書類名】明細書
【補正対象項目名】０１３８
【補正方法】変更
【補正の内容】
【０１３８】
また、請求項１４記載の発明によれば、描画すべき図形を短時間で選別することが可能な図形選別ユニットを提供することができる。